(57)【要約】      （修正有）【課題】芸術作品の流動性を高めるとともに、ユーザが当該芸術作品を鑑賞しやすい環境を創出するプログラムを提供する。【解決手段】プログラムは、コンピュータに、アート作品と結びついた「作品証明書を」ブロックチェーンネットワークに格納して共有し、ウェブサービスやシステムに依存することなく、アート作品の公共性を担保し、二次流通市場の管理を可能にするステップと、ユーザに利便性の高いサービスを提供するステップと、を含む処理を実行させる。【選択図】図１
2020068010.tif 000002
【特許請求の範囲】
【請求項１】
コンピュータに、
アート作品と結びついた「作品証明書を」ブロックチェーンネットワークに格納して共有し、ウェブサービスやシステムに依存することなく、アート作品の公共性を担保し、二次流通市場の管理を可能にするステップと、
ユーザに利便性の高いサービスを提供するステップと、
を含む処理を実行させるプログラム。
【請求項２】
前記「作品証明」は、作品証明情報、販売証明情報、真贋鑑定情報、来歴証明情報、貸借証明情報等の作品価値を向上させる要素情報と、
還元金の実行規約、販売制限規約、二次流通の制限規約、リージョン管理規約等の作品の流通にかかる制約条件情報と、
の双方を含む請求項１に記載のプログラム。
【発明の詳細な説明】
【技術分野】
【０００１】
本発明は、プログラムに関する。
【背景技術】
【０００２】
従来より、絵画、建築、彫刻、工芸品等の芸術作品が愛好家により愛されており、それに伴い、個展等が開催され、また、芸術作品の売買も盛んである。
しかし、芸術作品の価値については、判断が難しい。そこで、多くの人が芸術家の作品を鑑賞して評価できるようにし、かつ適正な価格で取引されるようにして、芸術作品の取引価格の一部を合理的に芸術家に還元するための技術が存在する（例えば、特許文献１参照）。
【先行技術文献】
【特許文献】
【０００３】
【特許文献１】特開２００９−０４８６１９号公報
【発明の概要】
【発明が解決しようとする課題】
【０００４】
しかしながら、上述の特許文献１を含む従来の技術のみでは、芸術作品の転売の際に、芸術家には購入金の分配が配当されないので芸術作品の販売で制作コストの全てを回収しなければならず、長期的に成長していく芸術の性質と相性が悪い。
【０００５】
本発明は、このような状況に鑑みてなされたものであり、芸術作品の流動性を高めるとともに、ユーザが当該芸術作品を鑑賞しやすい環境を創出する技術を提供することを目的とする。
【課題を解決するための手段】
【０００６】
上記目的を達成するため、本発明の一態様のプログラムは、
アート作品と結びついた「作品証明書を」ブロックチェーンネットワークに格納して共有し、ウェブサービスやシステムに依存することなく、アート作品の公共性を担保し、二次流通市場の管理を可能にするステップと、
ユーザに利便性の高いサービスを提供するステップと、
を含む処理を実行する。
【０００７】
さらに、本発明の一態様のプログラムにおいて、
前記「作品証明」は、作品証明情報、販売証明情報、真贋鑑定情報、来歴証明情報、貸借証明情報等の作品価値を向上させる要素情報と、
還元金の実行規約、販売制限規約、二次流通の制限規約、リージョン管理規約等の作品の流通にかかる制約条件情報と、
の双方を含む。
【発明の効果】
【０００８】
本発明によれば、芸術作品の流動性を高めるとともに、ユーザが当該芸術作品を鑑賞しやすい環境を創出することができる。
【図面の簡単な説明】
【０００９】
【図１】本発明に係る情報処理システムの全体の概要を示す図である。
【図２】ＡＢＮ証明書とルールセット作成に必要な情報に関する図である。
【図３】ＡＢＮ証明書の発行に関する図である。
【図４】ルールセットの作成に関する図である。
【図５】ＡＢＮ証明書の所有者移転と来歴の自動登録に関する図である。
【図６】ＡＢＮ証明書の制限管理と自動制御に関する図である。
【図７】ＡＢＮ証明書保管ウォレット作成に関する図である。
【図８】他社サービスでＡＢＮ証明書保管ウォレット呼び出しに関する図である。
【図９】還元金モデルと特許に関する図である。
【図１０】ｓｔａｒｔｂａｈｎ．ｏｒｇとアートブロックチェーンネットワーク版ｓｔａｒｔｂａｈｎの違いを示す図である。
【図１１】ｓｔａｒｔｂａｈｎ．ｏｒｇとアートブロックチェーンネットワーク版ｓｔａｒｔｂａｈｎの違いを示す図であって、図１０とは異なる図である。
【図１２】解決する課題に関する図である。
【図１３】アートブロックチェーンネットワークとｓｔａｒｔｂａｈｎを示す図である。
【図１４】アートブロックチェーンネットワークとｓｔａｒｔｂａｈｎを示す図であって、図１３とは異なる図である。
【図１５】アートブロックチェーンネットワークとｓｔａｒｔｂａｈｎを示す図であって、図１３及び図１４とは異なる図である。
【図１６】アートブロックチェーンネットワークとｓｔａｒｔｂａｈｎを示す図であって、図１３乃至図１５とは異なる図である。
【図１７】多様なサービスのためのインフラに関する図である。
【図１８】アートブロックチェーンネットワークとｓｔａｒｔｂａｈｎを示す図であって、図１３乃至図１６とは異なる図である。
【図１９】アートブロックチェーンネットワークとｓｔａｒｔｂａｈを示す図であって、図１３乃至図１６、図１８とは異なる図である。
【図２０】アートブロックチェーンネットワークとｓｔａｒｔｂａｈｎを示す図であって、図１３乃至図１６、図１８及び図１９とは異なる図である。
【図２１】取引される際に経由したルールセットの来歴に関する図である。
【図２２】取引された際に経由したルールセットの来歴に関する図であって、図２１とは異なる図である。
【図２３】独自機能として先品規約を遵守させる機能の実現に関する図である。
【図２４】ＡＢＮ証明書で規約を実行するメリットに関する図である。
【図２５】ＡＢＮ証明書で想定しているビジネスに関する図である。
【図２６】作品販売、二次販売に関する図である。
【図２７】アートブロックチェーンネットワーク上で管理可能なものの候補に関する図である。
【図２８】アートブロックチェーンネットワークＡＳＰ（ＡＢＮ−ＡＳＰ）に関する図である。
【図２９】ＡＢＮ−ＡＳＰでできること（暫定イメージ）に関する図である。
【図３０】ＡＢＮ−ＡＳＰでできること（暫定イメージ）に関する図であって、図２９とは異なる図である。
【図３１】システム構成図を示す図である。
【図３２】システム構成図を示す図であって、図３１とは異なる図である。
【図３３】システム構成の各項目の補足に関する図である。
【図３４】スマートフォンアプリ、ＮＦＣカードに関する図である。
【図３５】ブロックチェーン上のコンテンツ所有権と連動したデバイス上での表示制御に関する図である。
【図３６】ブロックチェーン上に発行される作品証明書の内容に関する図である。
【図３７】証明書発行時の作品規約の設定、合意、マーケット規約との照合のスキームに関する図である。
【図３８】作品規約改訂のスキームに関する図である。
【図３９】作品規約改訂のスキームに関する図であって、図３８とは異なる図である。
【図４０】アート作品をブロックチェーンとデジタル配信を組み合わせた流通の仕組み構築を示す図である。
【図４１】アート作品をブロックチェーンとデジタル配信を組み合わせた流通の仕組み構築を示す図であって、図４０とは異なる図である。
【図４２】アート作品をブロックチェーンとデジタル配信を組み合わせた流通の仕組み構築を示す図であって、図４０及び図４１とは異なる図である。
【図４３】アート作品をブロックチェーンとデジタル配信を組み合わせた流通の仕組み構築を示す図であって、図４０乃至図４２とは異なる図である。
【図４４】アート作品をブロックチェーンとデジタル配信を組み合わせた流通の仕組み構築を示す図であって、図４０乃至図４３とは異なる図である。
【図４５】事業応募フォームの応募契約事項に関する図である。
【図４６】事業応募フォームの応募契約事項に関する図であって、図４５とは異なる図である。
【図４７】事業応募フォームの応募契約事項に関する図であって、図４５及び図４６とは異なる図である。
【図４８】事業応募フォームの応募契約事項に関する図であって、図４５乃至図４７とは異なる図である。
【図４９】事業応募フォームの応募契約事項に関する図であって、図４５乃至図４８とは異なる図である。
【図５０】事業応募フォームの応募契約事項に関する図であって、図４５乃至図４９とは異なる図である。
【図５１】事業応募フォームの応募契約事項に関する図であって、図４５乃至図５０とは異なる図である。
【図５２】事業応募フォームの応募契約事項に関する図であって、図４５乃至図５１とは異なる図である。
【図５３】事業応募フォームの応募契約事項に関する図であって、図４５乃至図５２とは異なる図である。
【図５４】事業応募フォームの応募契約事項に関する図であって、図４５乃至図５３とは異なる図である。
【図５５】事業応募フォームの応募契約事項に関する図であって、図４５乃至図５４とは異なる図である。
【図５６】事業応募フォームの応募契約事項に関する図であって、図４５乃至図５５とは異なる図である。
【図５７】事業応募フォームの応募契約事項に関する図であって、図４５乃至図５６とは異なる図である。
【図５８】事業応募フォームの応募契約事項に関する図であって、図４５乃至図５７とは異なる図である。
【図５９】事業応募フォームの応募契約事項に関する図であって、図４５乃至図５８とは異なる図である。
【図６０】事業応募フォームの応募契約事項に関する図であって、図４５乃至図５９とは異なる図である。
【図６１】事業応募フォームの応募契約事項に関する図であって、図４５乃至図６０とは異なる図である。
【発明を実施するための形態】
【００１０】
以下、本発明の実施形態について、図面を用いて説明する。
【００１１】
図１は、本発明に係る情報処理システムの全体の概要を示す図である。
本発明に係る情報処理システムの全体の概要は、図１に示す通りである。
【００１２】
図２は、ＡＢＮ証明書とルールセット作成に必要な情報に関する図である。
ＡＢＮ証明書とルールセット作成に必要な情報は、図２に示す通りである。
【００１３】
図３は、ＡＢＮ証明書の発行に関する図である。
ＡＢＮ証明書の発行は、図３に示す通りである。
【００１４】
図４は、ルールセットの作成に関する図である。
ルールセットの作成は、図４に示す通りである。
【００１５】
図５は、ＡＢＮ証明書の所有者移転と来歴の自動登録に関する図である。
ＡＢＮ証明書の所有者移転と来歴の自動登録は、図５に示す通りである。
【００１６】
図６は、ＡＢＮ証明書の制限管理と自動制御に関する図である。
ＡＢＮ証明書の制限管理と自動制御は、図６に示す通りである。
【００１７】
図７は、ＡＢＮ証明書保管ウォレット作成に関する図である。
ＡＢＮ証明書保管ウォレット作成は、図７に示す通りである。
【００１８】
図８は、他社サービスでＡＢＮ証明書保管ウォレット呼び出しに関する図である。
他社サービスでＡＢＮ証明書保管ウォレット呼び出しは、図８に示す通りである。
【００１９】
図９は、還元金モデルと特許に関する図である。
還元金モデルと特許は、図９に示す通りである。
【００２０】
図１０は、ｓｔａｒｔｂａｈｎ．ｏｒｇとアートブロックチェーンネットワーク版ｓｔａｒｔｂａｈｎの違いを示す図である。
ｓｔａｒｔｂａｈｎ．ｏｒｇとアートブロックチェーンネットワーク版ｓｔａｒｔｂａｈｎの違いは、図１０に示す通りである。
【００２１】
図１１は、ｓｔａｒｔｂａｈｎ．ｏｒｇとアートブロックチェーンネットワーク版ｓｔａｒｔｂａｈｎの違いを示す図であって、図１０とは異なる図である。
ｓｔａｒｔｂａｈｎ．ｏｒｇとアートブロックチェーンネットワーク版ｓｔａｒｔｂａｈｎの違いは、図１１に示す通りである。
【００２２】
図１２は、解決する課題に関する図である。
解決する課題は、図１２に示す通りである。
【００２３】
図１３は、アートブロックチェーンネットワークとｓｔａｒｔｂａｈｎを示す図である。
アートブロックチェーンネットワークとｓｔａｒｔｂａｈｎは、図１３に示す通りである。
【００２４】
図１４は、アートブロックチェーンネットワークとｓｔａｒｔｂａｈｎを示す図であって、図１３とは異なる図である。
アートブロックチェーンネットワークとｓｔａｒｔｂａｈｎは、図１４に示す通りである。
【００２５】
図１５は、アートブロックチェーンネットワークとｓｔａｒｔｂａｈｎを示す図であって、図１３及び図１４とは異なる図である。
アートブロックチェーンネットワークとｓｔａｒｔｂａｈｎは、図１５に示す通りである。
【００２６】
図１６は、アートブロックチェーンネットワークとｓｔａｒｔｂａｈｎを示す図であって、図１３乃至図１５とは異なる図である。
アートブロックチェーンネットワークとｓｔａｒｔｂａｈｎは、図１６に示す通りである。
【００２７】
図１７は、多様なサービスのためのインフラに関する図である。
多様なサービスのためのインフラは、図１７に示す通りである。
【００２８】
図１８は、アートブロックチェーンネットワークとｓｔａｒｔｂａｈｎを示す図であって、図１３乃至図１６とは異なる図である。
アートブロックチェーンネットワークとｓｔａｒｔｂａｈｎは、図１８に示す通りである。
【００２９】
図１９は、アートブロックチェーンネットワークとｓｔａｒｔｂａｈｎを示す図であって、図１３乃至図１６、図１８とは異なる図である。
アートブロックチェーンネットワークとｓｔａｒｔｂａｈｎは、図１９に示す通りである。
【００３０】
図２０は、アートブロックチェーンネットワークとｓｔａｒｔｂａｈｎを示す図であって、図１３乃至図１６、図１８及び図１９とは異なる図である。
アートブロックチェーンネットワークとｓｔａｒｔｂａｈｎは、図２０に示す通りである。
【００３１】
図２１は、取引される際に経由したルールセットの来歴に関する図である。
取引される際に経由したルールセットの来歴は、図２１に示す通りである。
【００３２】
図２２は、取引される際に経由したルールセットの来歴に関する図であって、図２１とは異なる図である。
取引される際に経由したルールセットの来歴は、図２２に示す通りである。
【００３３】
図２３は、独自機能として先品規約を遵守させる機能の実現に関する図である。
独自機能として先品規約を遵守させる機能の実現は、図２３に示す通りである。
【００３４】
図２４は、ＡＢＮ証明書で規約を実行するメリットに関する図である。
ＡＢＮ証明書で規約を実行するメリットは、図２４に示す通りである。
【００３５】
図２５は、ＡＢＮ証明書で想定しているビジネスに関する図である。
ＡＢＮ証明書で想定しているビジネスは、図２５に示す通りである。
【００３６】
図２６は、作品販売、二次販売に関する図である。
作品販売、二次販売は、図２６に示す通りである。
【００３７】
図２７は、アートブロックチェーンネットワーク上で管理可能なものの候補に関する図である。
アートブロックチェーンネットワーク上で管理可能なものの候補は、図２７に示す通りである。
【００３８】
図２８は、アートブロックチェーンネットワークＡＳＰ（ＡＢＮ−ＡＳＰ）に関する図である。
アートブロックチェーンネットワークＡＳＰ（ＡＢＮ−ＡＳＰ）は、図２８に示す通りである。
【００３９】
図２９は、ＡＢＮ−ＡＳＰでできること（暫定イメージ）に関する図である。
ＡＢＮ−ＡＳＰでできること（暫定イメージ）は、図２９に示す通りである。
【００４０】
図３０は、ＡＢＮ−ＡＳＰでできること（暫定イメージ）に関する図であって、図２９とは異なる図である。
ＡＢＮ−ＡＳＰでできること（暫定イメージ）は、図３０に示す通りである。
【００４１】
図３１は、システム構成図を示す図である。
システム構成図は、図３１に示す通りである。
【００４２】
図３２は、システム構成図を示す図であって、図３１とは異なる図である。
システム構成図は、図３２に示す通りである。
【００４３】
図３３は、システム構成の各項目の補足に関する図である。
システム構成の各項目の補足は、図３３に示す通りである。
【００４４】
図３４は、スマートフォンアプリ、ＮＦＣカードに関する図である。
スマートフォンアプリ、ＮＦＣカードは、図３４に示す通りである。
即ち、スマートフォンアプリとＮＦＣカードの機能について、表示デバイスとの連動の仕組みについては、図３４に示す通りである。
【００４５】
図３５は、ブロックチェーン上のコンテンツ所有権と連動したデバイス上での表示制御に関する図である。
ブロックチェーン上のコンテンツ所有権と連動したデバイス上での表示制御は、図３５に示す通りである。
即ち、スマートフォンアプリとＮＦＣカードの機能について、表示デバイスとの連動の仕組みについては、図３５に示す通りである。
【００４６】
図３６は、ブロックチェーン上に発行される作品証明書の内容に関する図である。
ブロックチェーン上に発行される作品証明書の内容は、図３６に示す通りである。
即ち、ブロックチェーンによる著作権管理支援の仕組みは、図３６に示す通りである。
【００４７】
図３７は、証明書発行時の作品規約の設定、合意、マーケット規約との照合のスキームに関する図である。
証明書発行時の作品規約の設定、合意、マーケット規約との照合のスキームは、図３７に示す通りである。
即ち、ブロックチェーンによる著作権管理支援の仕組みは、図３７に示す通りである。
【００４８】
図３８は、作品規約改訂のスキームに関する図である。
作品規約改訂のスキームは、図３８に示す通りである。
即ち、ブロックチェーンによる著作権管理支援の仕組みは、図３８に示す通りである。
【００４９】
図３９は、作品規約改訂のスキームに関する図であって、図３８とは異なる図である。
作品規約改訂のスキームは、図３９に示す通りである。
即ち、ブロックチェーンによる著作権管理支援の仕組みは、図３９に示す通りである。
【００５０】
図４０は、アート作品をブロックチェーンとデジタル配信を組み合わせた流通の仕組み構築を示す図である。
アート作品をブロックチェーンとデジタル配信を組み合わせた流通の仕組み構築は、図４０に示す通りである。
【００５１】
図４１は、アート作品をブロックチェーンとデジタル配信を組み合わせた流通の仕組み構築を示す図であって、図４０とは異なる図である。
アート作品をブロックチェーンとデジタル配信を組み合わせた流通の仕組み構築は、図４１に示す通りである。
【００５２】
図４２は、アート作品をブロックチェーンとデジタル配信を組み合わせた流通の仕組み構築を示す図であって、図４０及び図４１とは異なる図である。
アート作品をブロックチェーンとデジタル配信を組み合わせた流通の仕組み構築は、図４２に示す通りである。
【００５３】
図４３は、アート作品をブロックチェーンとデジタル配信を組み合わせた流通の仕組み構築を示す図であって、図４０乃至図４２とは異なる図である。
アート作品をブロックチェーンとデジタル配信を組み合わせた流通の仕組み構築は、図４３に示す通りである。
【００５４】
図４４は、アート作品をブロックチェーンとデジタル配信を組み合わせた流通の仕組み構築を示す図であって、図４０乃至図４３とは異なる図である。
アート作品をブロックチェーンとデジタル配信を組み合わせた流通の仕組み構築は、図４４に示す通りである。
【００５５】
図４５は、事業応募フォームの応募契約事項に関する図である。
事業応募フォームの応募契約事項は、図４５に示す通りである。
【００５６】
図４６は、事業応募フォームの応募契約事項に関する図であって、図４５とは異なる図である。
事業応募フォームの応募契約事項は、図４６に示す通りである。
【００５７】
図４７は、事業応募フォームの応募契約事項に関する図であって、図４５及び図４６とは異なる図である。
事業応募フォームの応募契約事項は、図４７に示す通りである。
【００５８】
図４８は、事業応募フォームの応募契約事項に関する図であって、図４５乃至図４７とは異なる図である。
事業応募フォームの応募契約事項は、図３８に示す通りである。
【００５９】
図４９は、事業応募フォームの応募契約事項に関する図であって、図４５乃至図４８とは異なる図である。
事業応募フォームの応募契約事項は、図４９に示す通りである。
【００６０】
図５０は、事業応募フォームの応募契約事項に関する図であって、図４５乃至図４９とは異なる図である。
事業応募フォームの応募契約事項は、図５０に示す通りである。
【００６１】
図５１は、事業応募フォームの応募契約事項に関する図であって、図４５乃至図５０とは異なる図である。
事業応募フォームの応募契約事項は、図５１に示す通りである。
【００６２】
図５２は、事業応募フォームの応募契約事項に関する図であって、図４５乃至図５１とは異なる図である。
事業応募フォームの応募契約事項は、図５２に示す通りである。
【００６３】
図５３は、事業応募フォームの応募契約事項に関する図であって、図４５乃至図５２とは異なる図である。
事業応募フォームの応募契約事項は、図５３に示す通りである。
【００６４】
図５４は、事業応募フォームの応募契約事項に関する図であって、図４５乃至図５３とは異なる図である。
事業応募フォームの応募契約事項は、図５４に示す通りである。
【００６５】
図５５は、事業応募フォームの応募契約事項に関する図であって、図４５乃至図５４とは異なる図である。
事業応募フォームの応募契約事項は、図５５に示す通りである。
【００６６】
図５６は、事業応募フォームの応募契約事項に関する図であって、図４５乃至図５５とは異なる図である。
事業応募フォームの応募契約事項は、図５６に示す通りである。
【００６７】
図５７は、事業応募フォームの応募契約事項に関する図であって、図４５乃至図５６とは異なる図である。
事業応募フォームの応募契約事項は、図５７に示す通りである。
【００６８】
図５８は、事業応募フォームの応募契約事項に関する図であって、図４５乃至図５７とは異なる図である。
事業応募フォームの応募契約事項は、図５８に示す通りである。
【００６９】
図５９は、事業応募フォームの応募契約事項に関する図であって、図４５乃至図５８とは異なる図である。
事業応募フォームの応募契約事項は、図５９に示す通りである。
【００７０】
図６０は、事業応募フォームの応募契約事項に関する図であって、図４５乃至図５９とは異なる図である。
事業応募フォームの応募契約事項は、図６０に示す通りである。
【００７１】
図６１は、事業応募フォームの応募契約事項に関する図であって、図４５乃至図６０とは異なる図である。
事業応募フォームの応募契約事項は、図６１に示す通りである。
【００７２】
以上、本発明の一実施形態について説明したが、本発明は、上述の実施形態に限定されるものではなく、本発明の目的を達成できる範囲での変形、改良等は本発明に含まれるものである。
【００７３】
また例えば、上述した一連の処理は、ハードウェアにより実行させることもできるし、ソフトウェアにより実行させることもできる。
換言すると、機能的構成は例示に過ぎず、特に限定されない。
即ち、上述した一連の処理を全体として実行できる機能が情報処理システムに備えられていれば足り、この機能を実現するためにどのような機能ブロックを用いるのかは特に限定されない。また、機能ブロックの存在場所も、特に限定されず、任意でよい。例えば、サーバの機能ブロックをユーザ端末等に移譲させてもよい。逆にユーザ端末の機能ブロックをサーバ等に移譲させてもよい。
また、１つの機能ブロックは、ハードウェア単体で構成してもよいし、ソフトウェア単体で構成してもよいし、それらの組み合わせで構成してもよい。
【００７４】
また例えば、一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。
また、コンピュータは、各種のプログラムをインストールすることで、各種の機能を実行することが可能なコンピュータ、例えばサーバの他汎用のスマートフォンやパーソナルコンピュータであってもよい。
【００７５】
また例えば、このようなプログラムを含む記録媒体は、ユーザにプログラムを提供するために装置本体とは別に配布される図示せぬリムーバブルメディアにより構成されるだけでなく、装置本体に予め組み込まれた状態でユーザに提供される記録媒体等で構成される。
【００７６】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００７７】
以上を換言すると、本発明が適用されるプログラムは、次のような構成を有していれば足り、各種各様な実施の形態を取ることができる。
即ち、本発明が適用されるプログラムは、
アート作品と結びついた「作品証明書を」ブロックチェーンネットワークに格納して共有し、ウェブサービスやシステムに依存することなく、アート作品の公共性を担保し、二次流通市場の管理を可能にするステップと、
ユーザに利便性の高いサービスを提供するステップと、
を含む処理を実行する。
【００７８】
これにより、芸術作品の流動性を高めるとともに、ユーザが当該芸術作品を鑑賞しやすい環境を創出することができる。
【００７９】
さらに、本発明の一態様のプログラムにおいて、
前記「作品証明」は、作品証明情報、販売証明情報、真贋鑑定情報、来歴証明情報、貸借証明情報等の作品価値を向上させる要素情報と、
還元金の実行規約、販売制限規約、二次流通の制限規約、リージョン管理規約等の作品の流通にかかる制約条件情報と、の双方を含む。
【００８０】
これにより、作品証明書に要素情報と、制約条件情報を含むことができる。
【符号の説明】
【００８１】
１・・・サーバ
【図１】
2020068010.tif 000003
【図２】
2020068010.tif 000004
【図３】
2020068010.tif 000005
【図４】
2020068010.tif 000006
【図５】
2020068010.tif 000007
【図６】
2020068010.tif 000008
【図７】
2020068010.tif 000009
【図８】
2020068010.tif 000010
【図９】
2020068010.tif 000011
【図１０】
2020068010.tif 000012
【図１１】
2020068010.tif 000013
【図１２】
2020068010.tif 000014
【図１３】
2020068010.tif 000015
【図１４】
2020068010.tif 000016
【図１５】
2020068010.tif 000017
【図１６】
2020068010.tif 000018
【図１７】
2020068010.tif 000019
【図１８】
2020068010.tif 000020
【図１９】
2020068010.tif 000021
【図２０】
2020068010.tif 000022
【図２１】
2020068010.tif 000023
【図２２】
2020068010.tif 000024
【図２３】
2020068010.tif 000025
【図２４】
2020068010.tif 000026
【図２５】
2020068010.tif 000027
【図２６】
2020068010.tif 000028
【図２７】
2020068010.tif 000029
【図２８】
2020068010.tif 000030
【図２９】
2020068010.tif 000031
【図３０】
2020068010.tif 000032
【図３１】
2020068010.tif 000033
【図３２】
2020068010.tif 000034
【図３３】
2020068010.tif 000035
【図３４】
2020068010.tif 000036
【図３５】
2020068010.tif 000037
【図３６】
2020068010.tif 000038
【図３７】
2020068010.tif 000039
【図３８】
2020068010.tif 000040
【図３９】
2020068010.tif 000041
【図４０】
2020068010.tif 000042
【図４１】
2020068010.tif 000043
【図４２】
2020068010.tif 000044
【図４３】
2020068010.tif 000045
【図４４】
2020068010.tif 000046
【図４５】
2020068010.tif 000047
【図４６】
2020068010.tif 000048
【図４７】
2020068010.tif 000049
【図４８】
2020068010.tif 000050
【図４９】
2020068010.tif 000051
【図５０】
2020068010.tif 000052
【図５１】
2020068010.tif 000053
【図５２】
2020068010.tif 000054
【図５３】
2020068010.tif 000055
【図５４】
2020068010.tif 000056
【図５５】
2020068010.tif 000057
【図５６】
2020068010.tif 000058
【図５７】
2020068010.tif 000059
【図５８】
2020068010.tif 000060
【図５９】
2020068010.tif 000061
【図６０】
2020068010.tif 000062
【図６１】
2020068010.tif 000063